(57)【要約】【課題】特別のキーを設けることなく、少ないキーの操作で、目的とする機能を選択設定し得る画像処理装置を提供する。【解決手段】濃度変更フラグを予め「１」か「０」に設定しておき、濃度を最初に「普通」に設定し、対応する表示素子２１を点灯しておく（ＳＴ１）。濃度キー８ａを操作すると（ＳＴ２）、濃度変更フラグが「１」でなければ、表示素子２２を点灯し、「濃く」を選択する（ＳＴ３）。次に、濃度キー８ａを再度操作すると、表示素子２３を点灯し、「薄く」を選択する（ＳＴ５、ＳＴ６）。逆に濃度変更フラグを「１」に設定しておれば「普通」の状態で、濃度キー８ａを操作すると（ＳＴ２）、変更フラグが「１」なので（ＳＴ３）、表示素子２３を点灯し、「薄く」を選択する。続いて、更に濃度キー８ａが操作されると、表示素子２２が点灯し、「濃く」が選択される。【選択図】      図４
2004159237.tif 000002
【特許請求の範囲】
【請求項１】
同一操作の繰り返しによって、複数の機能の各機能を所定順次に選択してゆく画像処理装置において、前記順序を順方向と逆方向に設定可能に構成したことを特徴とする画像処理装置。
【請求項２】
前記機能は、読取画質であることを特徴とする請求項１記載の画像処理装置。
【請求項３】
前記機能は、読取濃度であることを特徴とする請求項１記載の画像処理装置。
【発明の詳細な説明】
【０００１】
【発明の属する技術分野】
この発明は、複写装置、ファクシミリ装置、複写機能・ファックス機能などの多機能を有する複合機などの画像処理装置に関する。
【０００２】
【従来の技術】
複写装置、ファクシミリ装置等において、原稿を読み取る場合、濃度や画質等を選択設定し得るようになっている。例えば、濃度の設定は、常時は「普通」に設定しており、別に設ける濃度キーを操作する毎に「普通」→「濃く」→「薄く」→「普通」と濃度を変更設定できる。また、画質を設定する場合は、例えば常時「標準」に設定しておき、別に設ける画質キーを操作する毎に「標準」→「高画質」→「超高画質」→「写真」と画質を変更設定できる。
【０００３】
この種の設定を行う画像処理装置においては、濃度の設定にしろ、画質の設定にしろ、濃度キーあるいは画質キーを操作する毎に、所定の順序で選択設定してゆくものであるため、たまたま順番の最後の方を選択設定する場合は、濃度キーや画質キーを多数回操作せねばならない。そこで従来、このような問題を解決するために、２つのキーを設け、２つのキーの一方を押す毎に、所定の順序で選択する機能が変化し、他方のキーを押す毎に反対方向の順序で機能が選択されるようにした技術が提案されている（例えば、特許文献１）。
【０００４】
【特許文献１】
特開平１１−３１０４０号公報
【０００５】
【発明が解決しようとする課題】
上記した特許文献１に記載された従来の技術では一方向の順序と、他方向の順序のいずれかで機能選択を行うことができるので、目的とする機能の選択を少ないキー操作で行うことができる。しかしながら、一方向と他方向を指定するために２つのキーが必要である。
【０００６】
この発明は上記問題点に着目してなされたものであって、特別にキーを増加させることなく、少ないキーの操作で目的とする機能を選択設定し得る画像処理装置を提供することを目的としている。
【０００７】
【課題を解決するための手段】
この発明の画像処理装置は、同一操作の繰り返しによって、複数の機能の各機能を所定順次に選択してゆく画像処理装置において、前記順序を順方向と逆方向に設定可能に構成している。
【０００８】
この発明の画像処理装置において、複数の機能は、標準、高画質、超高画質などの画質であり、画質キーの操作によって、画質機能が順次選択される。
【０００９】
また、複数の機能は、普通、濃く、薄くなどの濃度であり、濃度キーの操作によって、順次切り替えられるものでも良い。
【００１０】
【発明の実施の形態】
以下、実施の形態により、この発明を更に詳細に説明する。図１に、この発明の実施形態画像処理装置全体の概略構成を示すブロック図を示す。
【００１１】
この実施形態画像処理装置は、ファクシミリ機能とコピー機能とを備えたいわゆる複合機として構成したもので、ＮＣＵ（網制御回路：Ｎｅｔｗｏｒｋ  Ｃｏｎｔｒｏｌ  Ｕｎｉｔ）１と、ＭＯＤＥＭ２と、画像メモリ３と、ＲＡＭ４と、ＲＯＭ５と、主制御部６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１２】
主制御部（ＣＰＵ）６は、この装置を構成する各部を制御する機能を有する。ＮＣＵ１は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ２は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１３】
画像メモリ３は、受信画像データや画像読取部９で読み取った画像データを一時的に記憶する。ＲＡＭ４は、データ等を一時的に記憶する。このＲＡＭ４には、変更フラグを記憶するメモリ４ａを備えている。この変更フラグメモリ４ａには、図５に示すように、濃度変更フラグ、画質変更フラグ、用紙サイズ変更フラグを備えている。濃度変更フラグは、後述する濃度キー８ａの操作にしたがって選択される「普通」、「濃く」、「薄く」の順序を正方向とするか逆方向とするかを決定するフラグである。画質変更フラグは、後述する画質キー８ｂの操作にしたがって選択される「標準」、「高画質」、「超高画質」、「写真」の順序を正方向とするか逆方向とするかを決定するフラグである。用紙サイズ変更フラグは、用紙サイズキーの操作にしたがって選択される「Ａ４」、「Ｂ４」、「Ａ３」、「Ｂ５」の順序を正方向とするか逆方向とするかを決定するフラグである。これら各フラグは、装置の登録機能により、予め変更フラグメモリ４ａに設定されている。ＲＯＭ５は、この装置を制御するためのプログラムを記憶する。
【００１４】
表示部（ＬＣＤ）７は、アイコン、キーボタンの表示や、データの送受信に必要なメッセージ内容等を表示する。操作部８は濃度キー８ａ、画質キー８ｂ、更にワンタッチキー、登録キー、ＦＡＸモード・コピーモード・スキャナモード等の複数の動作モードについてのモード切り替えを行うための動作モード切替キー、テンキー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。
【００１５】
画像記録部１０は、電子写真方式のプリンタよりなり、受信画像データやコピー動作において画像読取部９で読み取った原稿の画像データを記録紙上に記録する。この画像記録部１０は、カラープリントも可能である。ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからデータ転送の要求を受けると、画像データをＬＡＮＩ／Ｆ１２、ＬＡＮ１５を介して、外部ＰＣに転送する。
【００１６】
操作部８の濃度キー８ａの近傍には、図２に示すように、濃く２４、普通２５、薄く２６の印刷文字と、これに対応した表示素子（ＬＥＤ）２１、２２、２３が設けられている。通常は、表示素子２１が点灯している。変更フラグメモリ４ａに記憶される濃度変更フラグが「０」の状態で、濃度キー８ａが操作（押下）されると、操作毎に表示素子２１→表示素子２２→表示素子２３→表示素子２１→……と、順次移動してゆく。これにより、濃度が「普通」→「濃く」→「薄く」→「普通」と選択される。一方、濃度変更フラグが「１」の状態で、濃度キー８ａが操作されると、操作毎に、表示素子２１→表示素子２３→表示素子２２→表示素子２１→……と、順次点灯が移動する。これにより、濃度が「普通」→「薄く」→「濃く」→「普通」と選択される。つまり、反対方向に濃度が選択される。
【００１７】
また、操作部８の画質キー８ｂの近傍には、図３に示すように、標準３５、高画質３６、超高画質３７、写真３８の印刷文字と、これに対応した表示素子３１、３２、３３、３４が設けられている。通常は、表示素子３１が点灯している。変更フラグメモリ４ａに記憶されている画質変更フラグが「０」の状態で、画質キー８ｂが操作されると、操作毎に表示素子３１→表示素子３２→表示素子３３→表示素子３４→表示素子３１→……と、順次点灯してゆく。これにより、画質が「標準」→「高画質」→「超高画質」→「写真」→「標準」と選択される。
【００１８】
一方、画質変更フラグが「１」の状態で、画質キー８ｂが操作されると、操作毎に、表示素子３１→表示素子３４→表示素子３３→表示素子３２→表示素子３１→……と、逆の方向に順次点灯してゆく。これにより、画質が「標準」→「写真」→「超高画質」→「高画質」→「標準」→……と選択される。
【００１９】
また、使用する用紙サイズを選択設定するのに、操作部８の用紙サイズキー（図示せず）が操作されると、変更フラグメモリ４ａの用紙サイズ変更フラグが「０」の場合、表示部７の画面に表示される紙サイズが、キー操作毎に「Ａ４」→「Ｂ４」→「Ａ３」→「Ｂ５」→「Ａ４」→と選択表示される。一方、用紙サイズ変更フラグが「１」の状態で、用紙サイズキーが順次操作されると、用紙サイズが「Ａ４」→「Ｂ５」→「Ａ３」→「Ｂ４」→「Ａ４」→と、逆の方向に順次選択表示される。
【００２０】
次に、この実施形態複合機において、図４に示すフロー図を参照して、濃度の選択設定処理を説明する。この処理が開始されると、ステップＳＴ１において「普通」が選択設定されており、図２の表示素子２１が点灯している。次に、ステップＳＴ２へ移行する。ステップＳＴ２においては、濃度キー８ａが操作されたか否か判定する。濃度キー８ａが操作されないと、ステップＳＴ１へ戻り、表示素子２１が点灯したまま、つまり「普通」の状態である。一方、濃度キー８ａが１回操作されると、ステップＳＴ３へ移行する。
【００２１】
ステップＳＴ３においては、濃度変更フラグが「１」か否か判定する。濃度変更フラグが「０」の場合は、ステップＳＴ４へ移行する。一方、濃度変更フラグが「１」の場合は、ステップＳＴ８へ移行する。ステップＳＴ４においては、表示素子２２を点灯し「濃く」を選択する。続いて、ステップＳＴ５へ移行する。ステップＳＴ５においては、濃度キー８ａが操作（２回目）されたか否か判定する。濃度キー８ａが操作されないと、ステップＳＴ４へ戻り、表示素子２２の点灯のまま、つまり「濃く」の状態のままである。一方、濃度キー８ａが操作されると、ステップＳＴ６へ移行する。ステップＳＴ６においては、表示素子２３を点灯し「薄く」を選択する。次に、ステップＳＴ７へ移行する。ステップＳＴ７においては、濃度キー８ａが操作（３回目）されたか否か判定する。濃度キー８ａが操作されないと、ステップＳＴ６へ戻る。ステップＳＴ６においては、表示素子２３の点灯のまま、つまり「薄く」の状態のままである。一方、濃度キー８ａが操作されると、ステップＳＴ１へ戻り、表示素子２１を点灯し「普通」に戻る。
【００２２】
ステップＳＴ８においては、表示素子２３が点灯し「薄く」を先に選択する。続いて、ステップＳＴ９へ移行する。ステップＳＴ９においては、濃度キー８ａが操作（２回目）されたか否か判定する。濃度キー８ａが操作されないと、ステップＳＴ８へ戻り、表示素子２３の点灯のまま、つまり「薄く」の状態のままである。一方、濃度キー８ａが操作されると、ステップＳＴ１０へ移行する。ステップＳＴ１０においては、表示素子２２を点灯し「濃く」を選択する。次に、ステップＳＴ１１へ移行する。ステップＳＴ１１においては、濃度キー８ａが操作（３回目）されたか否か判定する。濃度キー８ａが操作されないと、ステップＳＴ１０へ戻り、表示素子２２の点灯のまま、つまり「濃く」の状態のままである。一方、濃度キー８ａが操作されると、ステップＳＴ１へ戻る。ステップＳＴ１においては、表示素子２１を点灯し「普通」に戻る。
【００２３】
画質機能の選択順序の方向の正逆及び用紙サイズの選択順序の正逆も、図４に示した濃度順序の方向の正逆決定と同様、変更フラグメモリ４ａのフラグ、つまり画質変更フラグ、用紙サイズ変更のフラグに応じて、決定処理する。
【００２４】
なお、上記実施形態において、普通２４、濃く２５、薄く２６の印刷文字と表示素子２１、２２、２３は別体としているが、表示素子の上面に、普通、濃く、薄いなどの文字を印刷してあり、キー操作に応じて、表示素子が順次点灯する場合にも適用できる。
【００２５】
また、表示画面に、例えば「普通」、「濃く」、「薄く」を表示しておき、キー操作に応じて、表示画面のカーソルが移動するようにして、機能を選択する場合にも適用できる。
【００２６】
【発明の効果】
この発明によれば、同一操作の繰り返しによって、複数の機能の各機能を所定順次に選択してゆく画像処理装置において、前記順序を順方向と逆方向に設定可能に構成しているので、特別のキーを設けることなく、所望の機能を早く設定できる。
【図面の簡単な説明】
【図１】この発明の画像処理装置の一実施形態である複合機の構成を示すブロック図である。
【図２】同実施形態の複合機の操作部の濃度キー近傍を示す図である。
【図３】同実施形態の複合機の操作部の画質キー近傍を示す図である。
【図４】同実施形態複合機における濃度設定処理を説明するためのフロー図である。
【図５】同実施形態複合機の変更フラグメモリに記憶する変更フラグを示す図である。
【符号の説明】
１        ＮＣＵ
２        ＭＯＤＥＭ
３        画像メモリ
４        ＲＡＭ
４ａ      変更フラグメモリ
５        ＲＯＭ
６        主制御部
７        表示部
８        操作部
８ａ      濃度キー
８ｂ      画質キー
９        画像読取部
１０      画像記録部
１１      ＣＯＤＥＣ
１２      ＬＡＮＩ／Ｆ
１３      バス
【図１】
2004159237.tif 000003
【図２】
2004159237.tif 000004
【図３】
2004159237.tif 000005
【図４】
2004159237.tif 000006
【図５】
2004159237.tif 000007